(57)【要約】      （修正有）【課題】高圧の気体充填に適合するガスコック継ぎ手構造を提供する。【解決手段】ガスコックの外周縁に、ねじが設けられ、ガスコック継ぎ手１は、継ぎ手本体と少なくとも一つのストップブロック２０及び制御セット３０からなり、継ぎ手本体は、ガスコック挿設穴１１と、ガスコック挿設穴１１に連通されるガス注入穴が設けられ、継ぎ手本体に、少なくとも一つの外部からガスコック挿設穴１１まで貫通する貫通穴１３が形成され、ストップブロック２０が、変位制御可能に、貫通穴１３に設置され、ストップブロック２０の一端に、上記ガスコック挿設穴１１に対応する係合歯２１が形成され、係合歯２１が、上記ガスコックの外周縁にあるねじに係合でき、ストップブロック２０のもう一端が、制限端２２になり、制御セット３０が、継ぎ手本体に設置され、制御セット３０により、ストップブロック２０が、貫通穴１３においての変位が制御される。【選択図】図１
2013113442.tif 000002
【特許請求の範囲】
【請求項１】
ガスコックを実装して気体充填するためのもので、ガスコックの外周縁に、ねじが設けられるガスコック継ぎ手であって、
ガスコック挿設穴と、上記ガスコック挿設穴に連通されるガス注入穴が設けられ、上記継ぎ手本体に、少なくとも一つの外部から上記ガスコック挿設穴まで貫通する貫通穴が形成される継ぎ手本体と、
上記貫通穴に実装されて、変位を制限し、一端が、上記ガスコック挿設穴に対応して、係合歯が形成され、上記係合歯が、上記ガスコックの外周縁にあるねじに係合でき、もう一端が、制限端になる少なくとも一つのストップブロックと、
上記継ぎ手本体に設置され、上記ストップブロックが貫通穴において作動することを制御する制御セットと、
が含有され、
上記継ぎ手本体が、ガスコック挿設穴に、ガスコックが挿設され、上記制御セットで、上記ストップブロックの制限端を制限するか制限しないに切替え、上記ストップブロックの制限端が、制限しなくなる時、作動可能になり、上記係合歯が、上記ガスコックのねじを制限しなく、上記ガスコック挿設穴に対して、ガスコックが、挿設や脱離でき、上記ストップブロックの制限端が、制限する場合、作動不能になり、上記係合歯が、上記ガスコック挿設穴に位置する時、上記係合歯により、上記ガスコックのねじが制限される、
ことを特徴とするガスコック継ぎ手構造。
【請求項２】
上記制御セット内に、抵当ブロックが設けられ、上記制御セットの変位が、上記抵当ブロックにより、上記ストップブロックの制限端が制限されて、上記ストップブロックの変位が制限され、上記制御セットが、摺動式制御で、上記ストップブロックの変位が制限されることを特徴とする請求項１に記載のガスコック継ぎ手構造。
【請求項３】
上記制御セットが、回転式制御で、上記ストップブロックの変位が制限され、上記継ぎ手本体と上記ストップブロックとの間に、ばねが設けられ、上記ばねにより、上記ストップブロックが、平常状態において、外部へ変位することを特徴とする請求項１に記載のガスコック継ぎ手構造。
【請求項４】
上記制御セットが、回転式制御で、上記ストップブロックの変位が制限され、上記制御セットの抵当突出が、一回りに設置され、また、少なくとも一つの欠け口が形成され、上記継ぎ手本体に、少なくとも一つの係合凸縁が形成され、上記欠け口と上記係合凸縁とが、互いに係合され、上記制御セットが、前へ変位してある角度を回転して、位置づけられ、上記継ぎ手本体と上記ストップブロックとの間において、ばねが設けられ、上記ばねにより、上記ストップブロックが、平常状態において、外部へ変位できることを特徴とする請求項２に記載のガスコック継ぎ手構造。
【請求項５】
上記継ぎ手本体が、中結合筒と前結合筒及び後結合筒から螺着されてなり、上記前結合筒が、上記中結合筒の一端に螺着されて、内シールリングが固定され、上記後結合筒が、上記中結合筒のもう一端に螺着されて、セッティングボルトばねが固定され、上記継ぎ手本体の外周縁の一端において、前シールリングが、上記中結合筒に設置され、もう一端において、後シールリングが、上記後結合筒に設置され、上記前シールリングと上記後シールリングとに対して、上記貫通穴の前後位置をシールし、上記内シールリングと上記ガスコックの外周縁に、シールされて、上記セッティングボルトばねにより、ガスコックが作動されることを特徴とする請求項１に記載のガスコック継ぎ手構造。
【請求項６】
上記ストップブロックの一端から、伸び軸が伸び、上記伸び軸と上記継ぎ手本体とが、枢着され、上記継ぎ手本体と上記ストップブロックとの間に、ばねが設けられ、上記ばねにより、上記ストップブロックが、平常状態において、外部へ変位でき、上記ストップブロックの一端から伸びた伸び軸と継ぎ手本体とが一体成形され、上記継ぎ手本体のガスコック挿設穴内に、ガスコック継ぎ手に合わせて、内シールプラグが設置されることを特徴とする請求項１に記載のガスコック継ぎ手構造。
【発明の詳細な説明】
【技術分野】
【０００１】
本発明は、ガスコック継ぎ手構造に関し、特に、ガスコック継ぎ手とガスコックとの間の結合に、加圧気体を充填することにより位置付ける構造に関する。
【背景技術】
【０００２】
既存のタイヤ気体充填方式は、主として、二種類になり、その一つが、取り締め式で、取り締め式は、ゴムを圧縮することにより、ガスコック継ぎ手が、ガスコックを締めることになり、使用上、快速的になるが、締め力が悪いため、高圧気体の充填に適合しなく、もう一つが、ねじ回転式、ねじ回転式は、雄、雌ねじを回転して、ガスコック継ぎ手により、ガスコックが螺着され、高圧気体の充填に適合できるが、螺着に、時間が掛かり、不便的であり、また、何れかにしても、両手で操作しなければならない。
【０００３】
本発明者は、上記欠点を解消するため、慎重に研究し、また、学理を活用して、有効に上記欠点を解消でき、設計が合理である本発明を提案する。
【発明の概要】
【発明が解決しようとする課題】
【０００４】
本発明は、ガスコック継ぎ手構造であり、ガスコックが接着されて気体が充填され、上記ガスコックの外周縁にねじが設けられ、上記ガスコック継ぎ手は、継ぎ手本体と少なくとも一つのストップブロック及び制御セットが含有され、上記継ぎ手本体には、ガスコック挿設穴と上記ガスコック挿設穴に連通されるガス注入穴が形成され、上記継ぎ手本体に、更に、少なくとも一つの外部から上記ガスコック挿設穴まで貫通する貫通穴があり、上記ストップブロックが、上記貫通穴に設置されて変位が制御され、また、上記ストップブロックの一端において、上記ガスコック挿設穴に対応して係合歯が設けられ、上記係合歯が、上記ガスコックの外周縁にあるねじと係合でき、上記ストップブロックのもう一端が、制限端になり、上記制御セットが、上記継ぎ手本体に設置され、上記制御セットにより、上記ストップブロックが、貫通穴にで、変位が制御される。
【０００５】
本発明の主な目的は、ガスコック継ぎ手の制御セットが、ストップブロックを制限しない時、ユーザーが、直接に、片手で、ガスコック継ぎ手のガスコック挿設穴に、ガスコックを挿設でき、制御セットが、それとともに、挿設力により、移動されて、ストップブロックを制限するように切替えられ、或いは、挿設した後、直接に回転して、ストップブロックが制限されるように、制御セットが切替えられ、より実用的になるガスコック継ぎ手構造を提供する。
【０００６】
本発明の他の目的は、ガスコック継ぎ手とガスコックとの接続に、ガスコックのねじに対応するストップブロックに、係合歯が設置され、制御セットで、上記ストップブロックを、制限するか、或いは、制限しないように切替え、上記係合歯が、上記ガスコックのねじに係合され、上記ガスコックが、上記ガスコック挿設穴内に制限され、快速的な利点を得られるだけでなく、小体積、結合安定や確実になる利点も得られ、高圧の気体充填に適合するガスコック継ぎ手構造を提供する。
【課題を解決するための手段】
【０００７】
請求項１の考案は、ガスコックを実装して気体充填するためのもので、ガスコックの外周縁に、ねじが設けられるガスコック継ぎ手であって、ガスコック挿設穴と、上記ガスコック挿設穴に連通されるガス注入穴が設けられ、上記継ぎ手本体に、少なくとも一つの外部から上記ガスコック挿設穴まで貫通する貫通穴が形成される継ぎ手本体と、上記貫通穴に実装されて、変位を制限し、一端が、上記ガスコック挿設穴に対応して、係合歯が形成され、上記係合歯が、上記ガスコックの外周縁にあるねじに係合でき、もう一端が、制限端になる少なくとも一つのストップブロックと、上記継ぎ手本体に設置され、上記ストップブロックが貫通穴において作動することを制御する制御セットと、が含有され、上記継ぎ手本体が、ガスコック挿設穴に、ガスコックが挿設され、上記制御セットで、上記ストップブロックの制限端を制限するか制限しないに切替え、上記ストップブロックの制限端が、制限しなくなる時、作動可能になり、上記係合歯が、上記ガスコックのねじを制限しなく、上記ガスコック挿設穴に対して、ガスコックが、挿設や脱離でき、上記ストップブロックの制限端が、制限する場合、作動不能になり、上記係合歯が、上記ガスコック挿設穴に位置する時、上記係合歯により、上記ガスコックのねじが制限される、ことを特徴とするガスコック継ぎ手構造である。
【０００８】
請求項２の考案は、上記制御セット内に、抵当ブロックが設けられ、上記制御セットの変位が、上記抵当ブロックにより、上記ストップブロックの制限端が制限されて、上記ストップブロックの変位が制限され、上記制御セットが、摺動式制御で、上記ストップブロックの変位が制限されることを特徴とする請求項１に記載のガスコック継ぎ手構造である。
【０００９】
請求項３の考案は、上記制御セットが、回転式制御で、上記ストップブロックの変位が制限され、上記継ぎ手本体と上記ストップブロックとの間に、ばねが設けられ、上記ばねにより、上記ストップブロックが、平常状態において、外部へ変位することを特徴とする請求項１に記載のガスコック継ぎ手構造である。
【００１０】
請求項４の考案は、上記制御セットが、回転式制御で、上記ストップブロックの変位が制限され、上記制御セットの抵当突出が、一回りに設置され、また、少なくとも一つの欠け口が形成され、上記継ぎ手本体に、少なくとも一つの係合凸縁が形成され、上記欠け口と上記係合凸縁とが、互いに係合され、上記制御セットが、前へ変位してある角度を回転して、位置づけられ、上記継ぎ手本体と上記ストップブロックとの間において、ばねが設けられ、上記ばねにより、上記ストップブロックが、平常状態において、外部へ変位できることを特徴とする請求項２に記載のガスコック継ぎ手構造である。
【００１１】
請求項５の考案は、上記継ぎ手本体が、中結合筒と前結合筒及び後結合筒から螺着されてなり、上記前結合筒が、上記中結合筒の一端に螺着されて、内シールリングが固定され、上記後結合筒が、上記中結合筒のもう一端に螺着されて、セッティングボルトばねが固定され、上記継ぎ手本体の外周縁の一端において、前シールリングが、上記中結合筒に設置され、もう一端において、後シールリングが、上記後結合筒に設置され、上記前シールリングと上記後シールリングとに対して、上記貫通穴の前後位置をシールし、上記内シールリングと上記ガスコックの外周縁に、シールされて、上記セッティングボルトばねにより、ガスコックが作動されることを特徴とする請求項１に記載のガスコック継ぎ手構造である。
【００１２】
請求項６の考案は、上記ストップブロックの一端から、伸び軸が伸び、上記伸び軸と上記継ぎ手本体とが、枢着され、上記継ぎ手本体と上記ストップブロックとの間に、ばねが設けられ、上記ばねにより、上記ストップブロックが、平常状態において、外部へ変位でき、上記ストップブロックの一端から伸びた伸び軸と継ぎ手本体とが一体成形され、上記継ぎ手本体のガスコック挿設穴内に、ガスコック継ぎ手に合わせて、内シールプラグが設置されることを特徴とする請求項１に記載のガスコック継ぎ手構造である。
【００１３】
以下、図面を参照しながら、本発明の特徴や技術内容について、詳しく説明するが、それらの図面等は、参考や説明のためであり、本発明は、それによって制限されることが無い。
【発明を実施するための最良の形態】
【００１４】
図１乃至図４を参照しながら、本発明に係るガスコック継ぎ手１は、ガスコック２を接続して気体を充填するためのものであり、上記ガスコック２の外周縁に、ねじ３が形成され、仏式バルブガスコック継ぎ手である上記ガスコック継ぎ手１は、
ガスコック挿設穴１１と、上記ガスコック挿設穴１１に連通されるガス注入穴１２とが形成され、また、少なくとも一つの、円形ではなく、外部から上記ガスコック挿設穴１１まで貫通する貫通穴１３があり、中結合筒１０Ａと前結合筒１０Ｂ及び後結合筒１０Ｃから螺着されてなり、上記前結合筒１０Ｂが、上記中結合筒１０Ａの一端に螺着されて、内シールリング１４が固定され、上記後結合筒１０Ｃが、上記中結合筒１０Ａのもう一端に螺着されて、セッティングボルトばね１５が固定され、外周縁の一端において、上記中結合筒１０Ａに、前シールリング１６が設置され、もう一端において、上記後結合筒１０Ｃに後シールリング１７が設置され、上記前シールリング１６と上記後シールリング１７により、上記貫通穴１３の前、後位置がシールされ、上記内シールリング１４と上記ガスコック２との外周縁が、シールされて、上記セッティングボルトばね１５が、ガスコック２を作動する継ぎ手本体１０と、
上記貫通穴１３に設置されて制御可能に変位でき、一端において、上記ガスコック挿設穴１１に対応する係合歯２１が設けられ、上記係合歯２１が、上記ガスコック２の外周縁にあるねじ３に係合でき、もう一端が、制限端２２になる少なくとも一つのストップブロック２０と、
中空筒形状で、上記継ぎ手本体１０に嵌設され、上記ストップブロック２０の貫通穴１３においての変位を制御し、内部に、抵当ブロック３１が設置され、変位により、上記抵当ブロック３１で、上記ストップブロック２０の制限端２２に抵当して制限させ、上記ストップブロック２０を変位不能にさせる制御セット３０と、
上記継ぎ手本体１０と上記ストップブロック２０との間に設置され、上記ストップブロック２０を、平常状態において、外部へ変位させるばね４０と、
が含有される。
【００１５】
図４と図５のように、上記継ぎ手本体１０は、ガスコック挿設穴１１に、ガスコック２が挿設され、上記制御セット３０により、上記ストップブロック２０を制限するか制限しないかに、制限端２２が切替えられ、上記ストップブロック２０の制限端２２が、制限されない時、作動でき、上記ストップブロック２０が、外部へ変位でき、上記係合歯２１が、上記ガスコック２のねじ３を制限しなく、上記ガスコック２が、上記ガスコック挿設穴１１から離れ、上記ガスコック挿設穴１１により、ガスコック２が、挿設可能になるか、脱離することができ、上記ストップブロック２０の制限端２２が、制限され、作動不能な時、上記ストップブロック２０が、内部へ変位し、上記係合歯２１が、上記ガスコック挿設穴１１に入ると、上記係合歯２１が、上記ガスコック２のねじ３に係合して、上記ガスコック２のねじ３を制限し、これにより、上記ガスコック２が、上記ガスコック挿設穴１１内に制限される。
【００１６】
上記制御セット３０は、摺動式や回転式制御、或いは、上記ストップブロック２０の変位を制限するものであってもよく、図１乃至図６のように、上記制御セット３０は、摺動式制御や上記ストップブロック２０の変位を制限するものであり、上記制御セット３０の抵当ブロック３１は、一回りに設置され、また、少なくとも一つの欠け口３１１が形成され、上記継ぎ手本体１０に、少なくとも一つの係合縁１８が形成され、上記欠け口３１１と上記係合縁１８とが、係合されて、上記制御セット３０が、前へ変位でき、これにより、上記係合縁１８で、上記ストップブロック２０の変位を制限でき、また、上記係合縁１８が、上記欠け口３１１を通した後、ある角度に回転でき、そのため、上記制御セット３０の作動を制限できる。
【００１７】
図７乃至図１０のように、上記制御セット３０Ａが、回転式で、上記ストップブロック２０Ａの変位を制限し、上記制御セット３０Ａの抵当ブロック３１Ａが、上記ストップブロック２０Ａの同心円周に位置するが、上記ストップブロック２０Ａに接触しなく、上記制御セット３０Ａを回転させる時、上記抵当ブロック３１Ａが、上記ストップブロック２０Ａの外側に回転して、上記ストップブロック２０Ａを下へ押さえ、これにより、上記抵当ブロック３１Ａにより、上記ストップブロック２０Ａの変位が制限される。
【００１８】
また、図１１と図１２のように、
ガスコック継ぎ手４は、ガスコック５が接続されて気体が充填されるためのものであり、上記ガスコック５の外周縁に、ねじ６が設けられ、米式バルブガスコック継ぎ手である上記ガスコック継ぎ手４は、
ガスコック挿設穴５１と、上記ガスコック挿設穴５１に連通されるガス注入穴５２とが形成され、また、少なくとも一つの、外部から上記ガスコック挿設穴５１まで貫通する貫通穴５３があり、上記ガスコック挿設穴５１に、ガスコック継ぎ手４に合わせて、内シールプラグ５４が設けられる継ぎ手本体５０と、
変位制御可能に、上記貫通穴５３に設置され、一端に、上記ガスコック挿設穴５１に対応する係合歯６１が形成され、上記係合歯６１が、上記ガスコック２の外周縁のねじ６に係合することができ、もう一端が、制限端６２になり、一端から伸び軸６３が伸び、上記伸び軸６３が、上記継ぎ手本体５０に枢着される少なくとも一つのストップブロック６０と、
図１２のように、中空筒形状で、上記継ぎ手本体５０に嵌設され、上記ストップブロック６０の貫通穴５３においての変位を制御し、内部に、抵当ブロック７１が設置され、変位により、上記抵当ブロック７１で、上記ストップブロック６０の制限端６２に抵当して制限させ、上記ストップブロック６０を変位不能にさせる制御セット７０と、
上記継ぎ手本体５０と上記ストップブロック６０の伸び軸６３との間に設置され、上記ストップブロック６０を、平常状態において、外部へ変位させるばね８０と、が含有される。
【００１９】
また、図１３と図１４のように、上記実施例の継ぎ手本体５０とストップブロック６０は、ストップブロック６０Ａの一端から伸びた伸び軸６３Ａが、継ぎ手本体５０Ａに一体成形してもよく、また、上記伸び軸６３Ａにより、弾性を発生し、ばね８０を使用しなくても、同じ効果が実現される。
【００２０】
上記の具体的な実施例によれば、本発明は、次の効果が得られることが分かり、
１、ガスコック継ぎ手１の制御セット３０が、ストップブロック２０を制限しない時、ユーザーが、直接に、片手で、ガスコック継ぎ手１のガスコック挿設穴１１に、ガスコック２を挿設することができ、制御セット３０が、それとともに、挿設力により移動し、制御セット３０を、ストップブロック２０を制限するように切替え、或いは、挿設した後、直接に回転して、制御セット３０をストップブロック２０を制限するように切替え、そのため、より実用的になる。
２、ガスコック継ぎ手１とガスコック２との接続には、ガスコック２のねじ３に対応するストップブロック２０に、係合歯２１が設置され、制御セット３０で、上記ストップブロック２０を制限するか制限しないかに切替え、これにより、上記係合歯２１が、上記ガスコック２のねじ３に係合し、そのため、上記ガスコック２が、上記ガスコック挿設穴１１内において制限され、快速的な利点を得られるだけでなく、小体積、結合安定や確実になる利点も得られ、高圧の気体充填に適合する。
【００２１】
そのため、本発明は、より進歩的かつより実用的で、法に従って発明請求を出願する。
【００２２】
以上は、ただ、本発明のより良い実施例であり、本発明は、それによって制限されることが無く、本発明に係わる発明の請求の範囲や明細書の内容に基づいて行った等価の変更や修正は、全てが、本発明の請求の範囲内に含まれる。
【図面の簡単な説明】
【００２３】
【図１】本発明の立体分解図
【図２】本発明の立体組立て図
【図３】本発明の組立て断面図
【図４】本発明のガスコックとガスコック継ぎ手とが結合していない状態の断面図
【図５】本発明のガスコックとガスコック継ぎ手とが結合した状態の断面図
【図６】本発明の制御セットが回転して係止された状態の断面図
【図７】本発明のガスコックと他種類のガスコック継ぎ手とが結合していない状態の側面断面図
【図８】本発明のガスコックと他種類のガスコック継ぎ手とが結合していない状態の正面断面図
【図９】本発明のガスコックと他種類のガスコック継ぎ手とが結合した状態の側面断面図
【図１０】本発明のガスコックと他種類のガスコック継ぎ手とが結合した状態の正面断面図
【図１１】本発明のガスコックと更に他種類のガスコック継ぎ手とが結合していない状態の断面図
【図１２】本発明のガスコックと更に他種類のガスコック継ぎ手とが結合した状態の断面図
【図１３】本発明のガスコックと更に他の種類のガスコック継ぎ手とが結合していない状態の断面図
【図１４】本発明ガスコックと更に他の種類のガスコック継ぎ手とが結合した状態の断面図
【符号の説明】
【００２４】
１、４  ガスコック継ぎ手
１０  継ぎ手本体
１０Ａ  中結合筒
１０Ｂ  前結合筒
１０Ｃ  後結合筒
１１  ガスコック挿設穴
１２  ガス注入穴
１３  貫通穴
１４  内シールリング
１５  セッティングボルトばね
１６  前シールリング
１７  後シールリング
１８  係合凸縁
２、５  ガスコック
２０、２０Ａ  ストップブロック
２１  係合歯
２２  制限端
３、６  ねじ
３０、３０Ａ  制御セット
３１、３１Ａ  抵当突出
３１１  欠け口
４０  ばね
５０、５０Ａ  継ぎ手本体
５１  ガスコック挿設穴
５２  ガス注入穴
５３  貫通穴
５４  内シールプラグ
６０、６０Ａ  ストップブロック
６１  係合歯
６２  制限端
６３、６３Ａ  伸び軸
７０  制御セット
７１  抵当突出
８０  ばね
【図１】
2013113442.tif 000003
【図２】
2013113442.tif 000004
【図３】
2013113442.tif 000005
【図４】
2013113442.tif 000006
【図５】
2013113442.tif 000007
【図６】
2013113442.tif 000008
【図７】
2013113442.tif 000009
【図８】
2013113442.tif 000010
【図９】
2013113442.tif 000011
【図１０】
2013113442.tif 000012
【図１１】
2013113442.tif 000013
【図１２】
2013113442.tif 000014
【図１３】
2013113442.tif 000015
【図１４】
2013113442.tif 000016